(57)【特許請求の範囲】
【請求項１】
外壁よりも屋内側で当該外壁と平行に延びかつ互いに離間して配置された一対の天井梁と、
それら各天井梁に架け渡されて設けられた屋根パネルとを備え、
前記屋根パネルは、
前記各天井梁の上にそれぞれ載置され各々が前記天井梁の長手方向に沿って延びる一対の第１フレーム材と、それら各第１フレーム材の間に架け渡された複数の第２フレーム材とを有する屋根フレームと、
前記各第２フレーム材により下方から支持された野地板とを備え、
前記第１フレーム材と前記第２フレーム材とはいずれも鋼材により形成され、
前記野地板は、準不燃材料により形成されているとともに、前記各天井梁よりも屋外側に延出し前記外壁上へと至る野地板延出部を有し、
前記各第２フレーム材は、前記各天井梁よりも屋外側に延出し前記野地板延出部を下方から支持するフレーム延出部を有していることを特徴とする建物の屋根構造。
【請求項２】
前記外壁側の前記天井梁上に載置された前記第１フレーム材は、その一部が当該天井梁よりも屋外側に延出し前記各第２フレーム材の前記フレーム延出部に固定された固定部となっていることを特徴とする請求項１に記載の建物の屋根構造。
【請求項３】
前記各天井梁のうちの一方である前記外壁側の天井梁は他方の天井梁よりも低い位置に配置され、
前記屋根パネルは、それら各天井梁に架け渡されることで前記外壁側に向けて下方傾斜した状態で配置されていることを特徴とする請求項１又は２に記載の建物の屋根構造。
【請求項４】
複数の建物ユニットが互いに組み合わされて構築されたユニット式の建物に適用され、
前記各建物ユニットのうち所定の建物ユニットには、その側面に前記外壁が設けられているとともに、その天井部の少なくとも一部に前記外壁に向けて下方傾斜しかつ傾斜方向の両側に前記各天井梁を有する傾斜天井部が形成されており、
前記屋根パネルは、前記傾斜天井部の前記各天井梁に架け渡されることで前記外壁側に向けて下方傾斜していることを特徴とする請求項３に記載の建物の屋根構造。
【請求項５】
前記外壁側の天井梁上に載置された前記第１フレーム材は、
当該天井梁上に固定され、かつ一部が当該天井梁よりも屋外側に延出している梁固定板部と、
前記梁固定板部における前記延出側の端部から上方に延び、前記各第２フレーム材の前記フレーム延出部の端面に固定されたフレーム固定板部とを有することを特徴とする請求項３又は４に記載の建物の屋根構造。
【請求項６】
前記各第２フレーム材が傾斜する傾斜方向と直交する方向に前記フレーム延出部の前記端面が傾斜しており、
前記フレーム固定板部は、前記梁固定板部から前記フレーム延出部の前記端面に沿って上方傾斜しており、その傾斜状態で当該端面に固定されていることを特徴とする請求項５に記載の建物の屋根構造。
【請求項７】
前記屋根パネルの下面側には、当該屋根パネルに沿って傾斜するように天井パネルが設けられており、
前記天井パネルは、前記屋根フレームに取り付けられた天井フレームと、その天井フレームの下面側に取り付けられた天井板とを有し、
前記天井フレームを構成する各フレーム材は木材により形成されていることを特徴とする請求項１乃至６のいずれか一項に記載の建物の屋根構造。
【請求項８】
前記外壁側の天井梁の屋内側には内壁パネルが設けられ、
前記内壁パネル上には、当該天井梁に沿って延びる水平面からなるとともに、前記天井フレームを構成する各フレーム材のうちフレーム下端に配された下端フレーム材が載置される載置面が設定されており、
前記下端フレーム材は、前記外壁側の天井梁の屋内側で当該天井梁に沿って配設されているとともに、傾斜面からなる前記天井板の上面に固定された第１面と、前記載置面に載置された第２面とを有しており、
前記下端フレーム材において前記第１面と直交する方向を当該下端フレーム材の幅方向とした場合、当該下端フレーム材は前記幅方向に対称な形状を有しており、
前記下端フレーム材において前記第２面と前記幅方向に対称となる第２対称面と、前記外壁側の天井梁との間には配線を通すための隙間が形成されていることを特徴とする請求項７に記載の建物の屋根構造。
【発明の詳細な説明】
【技術分野】
【０００１】
本発明は、建物の屋根構造に関する。
【背景技術】
【０００２】
ユニット式建物では、最上階を構成する建物ユニットの上方に屋根パネルが設置され、その屋根パネルを用いて屋根が形成される場合がある（例えば特許文献１参照）。図５には、かかる屋根パネルを用いた屋根構造の一例が示されている。
【０００３】
図５では、最上階に配置された建物ユニットが、側面視の形状が台形形状とされた台形ユニット１１１（カットユニット）となっている。台形ユニット１１１は、天井部の一部が屋外側に向けて下方傾斜された傾斜天井部１１２とされており、その傾斜天井部１１２には、当該天井部１１２の傾斜方向に対向する一対の天井梁１１３，１１４が設けられている。この場合、各天井梁１１３，１１４のうち、屋内側の天井梁１１３が屋外側の天井梁１１４よりも高い位置に配置されている。
【０００４】
各天井梁１１３，１１４には、屋根パネル１１６が架け渡されている。屋根パネル１１６は、屋外側に向けて下方傾斜した状態で配設されている。屋根パネル１１６は、屋根フレーム１１７と、屋根フレーム１１７の上面に取り付けられた野地板１１８とを有している。屋根フレーム１１７は、各天井梁１１３，１１４の上にそれぞれ載置され各々が天井梁１１３，１１４の長手方向に延びる一対の第１フレーム材１２１，１２２と、それら各第１フレーム材１２１，１２２に架け渡された複数の第２フレーム材１２３とを有する。
【０００５】
各第１フレーム材１２１，１２２のうち、天井梁１１４上に配置された第１フレーム材１２２は断面Ｌ字状の鋼材により形成され、天井梁１１４上に固定された水平板部１２２ａと、水平板部１２２の屋内側端部から上方に延びる鉛直板部１２２ｂとを有する。鉛直板部１２２ｂには、各第２フレーム材１２３の下端部（屋外側端部）が溶接により固定されている。この場合、これら第２フレーム材１２３上に取り付けられた野地板１１８は、第２フレーム材１２３よりも屋外側に延出し、その屋外側の端部が外壁材１２５の上方（真上）に位置している。これにより、野地板１１８上を流下する水が外壁材１２５よりも屋外側に導かれるようになっている。
【先行技術文献】
【特許文献】
【０００６】
【特許文献１】特開２０１５−１５１７２８号公報
【発明の概要】
【発明が解決しようとする課題】
【０００７】
ところで、建物が耐火性能に優れた準耐火建築物として構築される場合には、野地板１１８として木片セメント板等の準不燃材料が用いられる。準不燃材料は、優れた耐火性能を有している反面、例えば合板等と比べて割れ易い性質を有している。
【０００８】
ここで、上述した図５の屋根構造では、野地板１１８が第２フレーム材１２３よりも屋外側に張り出しており、その張出部分が施工の際に作業者により踏まれることが想定される。そのため、野地板１１８が準不燃材料により形成されている場合には、野地板１１８の踏み割れが生じるおそれがある。
【０００９】
本発明は、上記事情に鑑みてなされたものであり、野地板の踏み割れを防止することができる建物の屋根構造を提供することを主たる目的とするものである。
【課題を解決するための手段】
【００１０】
上記課題を解決すべく、第１の発明の建物の屋根構造は、外壁よりも屋内側で当該外壁と平行に延びかつ互いに離間して配置された一対の天井梁と、それら各天井梁に架け渡されて設けられた屋根パネルとを備え、前記屋根パネルは、前記各天井梁の上にそれぞれ載置され各々が前記天井梁の長手方向に沿って延びる一対の第１フレーム材と、それら各第１フレーム材の間に架け渡された複数の第２フレーム材とを有する屋根フレームと、前記各第２フレーム材により下方から支持された野地板とを備え、前記第１フレーム材と前記第２フレーム材とはいずれも鋼材により形成され、前記野地板は、準不燃材料により形成されているとともに、前記各天井梁よりも屋外側に延出し前記外壁上へと至る野地板延出部を有し、前記各第２フレーム材は、前記各天井梁よりも屋外側に延出し前記野地板延出部を下方から支持するフレーム延出部を有していることを特徴とする。
【００１１】
本発明によれば、互いに離間する一対の天井梁に屋根パネルが架け渡されており、その屋根パネルが鋼材からなる屋根フレームと、準不燃材料からなる野地板とを備えて構成されている。この場合、野地板は、その一部が各天井梁よりも屋外側に延出して外壁上へと至る野地板延出部となっている。そして、その野地板延出部が屋根フレームの各第２フレーム材において各天井梁よりも屋外側に延出したフレーム延出部により下方から支持されている。これにより、施工の際等に野地板延出部の上に作業者等が載って同延出部に下向きの荷重が作用したとしても、その荷重をフレーム延出部により下方から受けることができるため、野地板が比較的割れ易い準不燃材料により形成されている場合であっても、野地板の踏み割れを防止することができる。
【００１２】
第２の発明の建物の屋根構造は、第１の発明において、前記外壁側の前記天井梁上に載置された前記第１フレーム材は、その一部が当該天井梁よりも屋外側に延出し前記各第２フレーム材の前記フレーム延出部に固定された固定部となっていることを特徴とする。
【００１３】
本発明によれば、外壁側の天井梁上に載置された第１フレーム材の一部（固定部）が当該天井梁よりも屋外側に延出し、各第２フレーム材のフレーム延出部に固定されている。この場合、野地板延出部からフレーム延出部に作用する荷重を第１フレーム材により下方から受けることができるため、フレーム延出部ひいては野地板延出部に下方への撓みが生じるのを抑制することができる。これにより、野地板の踏み割れを確実に防止することが可能となる。
【００１４】
第３の発明の建物の屋根構造は、第１又は第２の発明において、前記各天井梁のうちの一方である前記外壁側の天井梁は他方の天井梁よりも低い位置に配置され、前記屋根パネルは、それら各天井梁に架け渡されることで前記外壁側に向けて下方傾斜した状態で配置されていることを特徴とする。
【００１５】
屋根パネルが傾斜した状態で設けられる構成では、例えば屋根パネルが水平状態で設けられる構成と比べて、野地板延出部の延出長さが長くなり易い。そのため、野地板の踏み割れが生じ易くなると考えられる。その点本発明では、そのように屋根パネルが傾斜して設けられている構成に第１の発明を適用しているため、かかる構成においても野地板の踏み割れを好適に防止することができる。
【００１６】
第４の発明の建物の屋根構造は、第３の発明において、複数の建物ユニットが互いに組み合わされて構築されたユニット式の建物に適用され、前記各建物ユニットのうち所定の建物ユニットには、その側面に前記外壁が設けられているとともに、その天井部の少なくとも一部に前記外壁に向けて下方傾斜しかつ傾斜方向の両側に前記各天井梁を有する傾斜天井部が形成されており、前記屋根パネルは、前記傾斜天井部の前記各天井梁に架け渡されることで前記外壁側に向けて下方傾斜していることを特徴とする。
【００１７】
ユニット式建物では、北側斜線等の斜線制限に対応するために、建物ユニットとして、その天井部の少なくとも一部が傾斜天井部とされたものが用いられることがある。このような建物ユニット（所定の建物ユニット）では、その傾斜天井部における傾斜方向両側の各天井梁に屋根パネルが傾斜状態で架け渡されることが考えられ、その場合やはり野地板延出部の延出長さが長くなってしまい易い。そこで本発明では、かかる構成に第３の発明を適用している。この場合、かかる構成にあって、野地板の踏み割れを好適に防止することが可能となる。
【００１８】
第５の発明の建物の屋根構造は、第３又は第４の発明において、前記外壁側の天井梁上に載置された前記第１フレーム材は、当該天井梁上に固定され、かつ一部が当該天井梁よりも屋外側に延出している梁固定板部と、前記梁固定板部における前記延出側の端部から上方に延び、前記各第２フレーム材の前記フレーム延出部の端面に固定されたフレーム固定板部とを有することを特徴とする。
【００１９】
本発明によれば、外壁側の天井梁上に載置された第１フレーム材において、その梁固定板部が天井梁上に固定され、当該梁固定板部において天井梁よりも屋外側に延出した延出側の端部から上方に向けてフレーム固定板部が延びている。そして、そのフレーム固定板部が各第２フレーム材のフレーム延出部の端面に固定されている。この場合、フレーム延出部の先端が第１フレーム材により支持されるため、フレーム延出部が片持ち支持される場合と比べて、フレーム延出部ひいては野地板延出部に下方への撓みが生じるのを抑制することができる。そのため、野地板の踏み割れをより確実に防止することが可能となる。
【００２０】
第６の発明の建物の屋根構造は、第５の発明において、前記各第２フレーム材が傾斜する傾斜方向と直交する方向に前記フレーム延出部の前記端面が傾斜しており、前記フレーム固定板部は、前記梁固定板部から前記フレーム延出部の前記端面に沿って上方傾斜しており、その傾斜状態で当該端面に固定されていることを特徴とする。
【００２１】
ところで、フレーム固定板部が梁固定板部から鉛直上向きに延びている構成では、それに応じてフレーム固定板部が固定されるフレーム延出部の端面も鉛直方向に延びている必要がある。そのため、この場合には、フレーム延出部の先端側を斜めにカットする等して当該延出部の端面が鉛直方向に延びるようにする必要がある。その点本発明では、フレーム固定板部が梁固定板部から各第２フレーム材のフレーム延出部の端面に沿って上方傾斜し、その傾斜状態でフレーム固定板部が各フレーム延出部の端面に固定されているため、フレーム延出部をカットする等の面倒な作業をしなくても済む。そのため、屋根フレームの製造について容易化を図ることが可能となる。
【００２２】
第７の発明の建物の屋根構造は、第１乃至第６のいずれかの発明において、前記屋根パネルの下面側には、当該屋根パネルに沿って傾斜するように天井パネルが設けられており、前記天井パネルは、前記屋根フレームに取り付けられた天井フレームと、その天井フレームの下面側に取り付けられた天井板とを有し、前記天井フレームを構成する各フレーム材は木材により形成されていることを特徴とする。
【００２３】
本発明によれば、屋根パネルの下面側に天井パネルが設けられ、その天井パネルの天井フレームが木材からなるフレーム材により構成されている。この場合、野地板と天井板との間において、その上側に鋼製のフレーム（屋根フレーム）が配設され、その下側に木製のフレーム（天井フレーム）が配設されている。そのため、野地板と天井板との間において、フレーム全体が鋼製とされる場合と比べ、軽量化及び低コスト化を図りながら、耐火性能の向上を図ることができる。
【００２４】
第８の発明の建物の屋根構造は、第７の発明において、前記外壁側の天井梁の屋内側には内壁パネルが設けられ、前記内壁パネル上には、当該天井梁に沿って延びる水平面からなるとともに、前記天井フレームを構成する各フレーム材のうちフレーム下端に配された下端フレーム材が載置される載置面が設定されており、前記下端フレーム材は、前記外壁側の天井梁の屋内側で当該天井梁に沿って配設されているとともに、傾斜面からなる前記天井板の上面に固定された第１面と、前記載置面に載置された第２面とを有しており、前記下端フレーム材において前記第１面と直交する方向を当該下端フレーム材の幅方向とした場合、当該下端フレーム材は前記幅方向に対称な形状を有しており、前記下端フレーム材において前記第２面と前記幅方向に対称となる第２対称面と、前記外壁側の天井梁との間には配線を通すための隙間が形成されていることを特徴とする。
【００２５】
本発明によれば、内壁パネル上に設定された載置面上に屋根フレームの下端フレーム材が載置され、その下端フレーム材が外壁側の天井梁の屋内側で当該天井梁に沿って配設されている。この下端フレーム材は、その第１面が傾斜面からなる天井板の裏面（上面）に固定され、その第２面が水平面からなる内壁パネル上の載置面に載置されている。このような第１面及び第２面を有する下端フレーム材は幅方向（第１面と直交する方向）に対称な形状を有しており、そのため同方向に反転して組み付けられても同じ態様で組み付けることができる。そのため、組み間違えが生じるのを回避することが可能となる。
【００２６】
また、下端フレーム材が幅方向に対称形状とされていることで、同フレーム材には第２面と幅方向に対称な第２対称面が形成されており、それによってその第２対称面と屋外側の天井梁との間に配線を通すための隙間が形成されている。これにより、下端フレーム材が天井梁の屋内側に近接配置される構成であっても、それら両部材間を通じて配線を配設することが可能となる。
【図面の簡単な説明】
【００２７】
【図１】建物全体を示す斜視図。
【図２】カットユニットの構成を示す斜視図。
【図３】カットユニット上における傾斜屋根部周辺の構成を示す縦断面図。
【図４】屋根パネルの下端側周辺を拡大して示す縦断面図。
【図５】従来技術における屋根構造を示す縦断面図。
【発明を実施するための形態】
【００２８】
以下に、本発明を具体化した一実施の形態について図面を参照しつつ説明する。本実施形態では、建物として、複数の建物ユニットが組み合わされてなるユニット式建物について具体化している。また、本実施形態では、建物が建築基準法上の準耐火建築物に該当するものとなっている。なお、図１は、建物全体を示す斜視図である。
【００２９】
図１に示すように、建物１０は、基礎１１上に設けられた建物本体１２と、建物本体１２の上方に設けられた屋根部１３とを備える。建物本体１２は、一階部分と二階部分とを有する二階建てとなっている。建物本体１２は、複数の建物ユニット２０が組み合わせられることにより構成されている。建物ユニット２０は、梁及び柱等を有して直方体状又は台形形状に形成されている。建物ユニット２０は製造工場においてあらかじめ製造され、その後施工現場にトラック等により搬送されるものとなっている。
【００３０】
屋根部１３は、陸屋根を形成している陸屋根部１４と、傾斜屋根を形成している傾斜屋根部１５とを有している。陸屋根部１４と傾斜屋根部１５とは隣接して設けられ、傾斜屋根部１５は陸屋根部１４から下方傾斜するように形成されている。また、陸屋根部１４の周縁部にはパラペット１６が設けられている。
【００３１】
屋根部１３の直下に配置された各建物ユニット２０のうち、上方に傾斜屋根部１５が形成された建物ユニット２０は側面視（詳しくはユニット短辺側の側面）の形状が台形形状をなすカットユニット２０ａとなっている。カットユニット２０ａ上には、傾斜屋根部１５に加えて陸屋根部１４の一部が形成されている。カットユニット２０ａ上では傾斜屋根部１５と陸屋根部１４とが当該ユニット２０ａの短手方向に並んで配置されている。なお、カットユニット２０ａが「所定の建物ユニット」に相当する。
【００３２】
続いて、カットユニット２０ａの構成について図２に基づいて説明する。図２は、カットユニット２０ａの構成を示す斜視図である。
【００３３】
図２に示すように、カットユニット２０ａは、その四隅に配設された４本の柱２１，２２と、各柱２１，２２の上端部を連結する４本の天井大梁２３，２４と、各柱２１，２２の下端部を連結する４本の床大梁２５とを備えている。そして、それら柱２１，２２、天井大梁２３，２４及び床大梁２５により側面視台形形状の骨格（フレーム）が形成されている。この点からすると、カットユニット２０ａを台形ユニットということもできる。
【００３４】
各柱２１，２２のうち、カットユニット２０ａの短辺方向における一方側（屋内側）に配置された柱２１は通常長さで形成された通常柱となっている。つまり、この柱２１は、通常の建物ユニット２０（直方体状の建物ユニット２０）の柱２１と同じ長さを有している。それに対して、カットユニット２０ａの短辺方向における他方側（屋外側）に配置された柱２２は通常長さよりも短い長さで形成された短柱となっている。これら各柱２１，２２はいずれも四角筒状の角形鋼よりなる。
【００３５】
各天井大梁２３，２４のうちカットユニット２０ａの長辺側に配置された２本の天井大梁２３はいずれも直線状に形成されている。それら各天井大梁２３のうち一方（屋内側）の天井大梁２３（以下、この符号にａを付す）は各柱２１の上端部同士を連結しており、他方（屋外側）の天井大梁２３（以下、この符号にｂを付す）は各柱２２の上端部同士を連結している。したがって、天井大梁２３ａは天井大梁２３ｂよりも高い位置に配置されている。
【００３６】
それに対してカットユニット２０ａの短辺側に配置された２本の天井大梁２４はいずれも途中で屈曲された屈曲形状をなしている。すなわち、天井大梁２４は、水平方向に延びる水平部２４ａと、その水平部２４ａから下方傾斜して延びる傾斜部２４ｂとを有している。これら各天井大梁２４は、各柱２１，２２の上端部同士を連結しており、水平部２４ａが柱２１に連結され、傾斜部２４ｂが柱２２に連結されている。各天井大梁２３，２４はいずれも断面コ字状の溝形鋼よりなり、その溝部をユニット内側に向けて配置されている。
【００３７】
対向する各天井大梁２４の屈曲部の間には一対の中間梁２６，２７が架け渡されている。これらの中間梁２６，２７はいずれも断面コ字状の溝形鋼よりなり、互いのウェブを当接させた状態で溶接により固定されている（図３も参照）。各中間梁２６，２７のうち、中間梁２６がカットユニット２０ａの短辺方向における屋内側、中間梁２７が屋外側に配置され、中間梁２６については天井大梁２３ａと互いの溝部を向き合わせた状態で配置されている。また、中間梁２６と天井大梁２３ａとの間には、所定の間隔で複数の天井小梁２８が架け渡されている。これら各天井小梁２８は例えばリップ溝形鋼よりなる。
【００３８】
このように、カットユニット２０ａの天井部は複数の天井梁２３，２４，２６〜２８により構成されている。この場合、天井大梁２３ａ、中間梁２６、各水平部２４ａ及び各天井小梁２８を含んで水平天井部３１（水平面部）が構成され、天井大梁２３ｂ、中間梁２７及び各傾斜部２４ｂを含んで傾斜天井部３２（傾斜面部）が構成されている。水平天井部３１は水平方向に延びており、その上方に陸屋根部１４が形成されている。一方、傾斜天井部３２は水平方向に対して傾斜しており、その上方に傾斜屋根部１５が形成されている。
【００３９】
カットユニット２０ａの長辺側の対向する床大梁２５の間には、所定の間隔で複数の床小梁３３が架け渡されている。床小梁３３は角形鋼よりなる。床小梁３３は、天井小梁２８と同間隔でかつ天井小梁２８と上下に対向する位置に配置されている。
【００４０】
次に、カットユニット２０ａ上に形成される屋根部の構成について図３を用いながら説明する。図３は、カットユニット２０ａ上における傾斜屋根部１５周辺の構成を示す縦断面図である。
【００４１】
図３に示すように、カットユニット２０ａの天井部において、水平天井部３１の上には屋根パネル３５が設けられており、傾斜天井部３２の上には屋根パネル４５が設けられている。これらの屋根パネル３５，４５は互いに隣接して配置され、それら屋根パネル３５，４５により、カットユニット２０ａ上における屋根部（陸屋根部１４及び傾斜屋根部１５）の下地部分（屋根下地）が構成されている。
【００４２】
屋根パネル３５は、水平天井部３１において互いに対向する天井大梁２３ａ及び中間梁２６に架け渡されて設けられている。屋根パネル３５は、屋根フレーム３６と、その屋根フレーム３６上に取り付けられた野地板３７とを備える。屋根フレーム３６は、互いに対向して設けられる一対の対向フレーム材３８と、それら対向フレーム材３８の間に架け渡され両フレーム材３８を連結する複数の連結フレーム材３９とを有する。
【００４３】
各対向フレーム材３８はそれぞれ天井大梁２３ａ及び中間梁２６に沿って配設され、それら各天井梁２３ａ，２６上に載置されている。これにより、屋根フレーム３６が天井大梁２３ａと中間梁２６との間に架け渡されている。また、対向フレーム材３８は、その載置状態で天井梁２３ａ，２６上にボルト４１により固定されている。
【００４４】
連結フレーム材３９は角形鋼により形成され、所定の間隔で複数（３つ以上）配置されている。これら連結フレーム材３９の上には野地板３７が載置されている。野地板３７は、各連結フレーム材３９に対しビス等で固定されている。野地板３７は、優れた耐火性能を有する準不燃材料により形成され、例えば木片セメント板により形成されている。なお、野地板３７は、木片セメント板に限らず、木毛セメント板や石膏ボード等、他の準不燃材料により形成されてもよい。
【００４５】
屋根パネル４５は、傾斜天井部３２において当該天井部３２の傾斜方向に対向する天井大梁２３ｂ及び中間梁２７に架け渡されて設けられている。この場合、屋根パネル４５は、中間梁２７側から天井大梁２３ｂ側に向けて下方傾斜した状態で配設されている。なお、屋根パネル４５が特許請求の範囲に記載された「屋根パネル」に相当する。また、天井大梁２３ｂ及び中間梁２７がそれぞれ「天井梁」に相当する。
【００４６】
屋根パネル４５は、屋根フレーム４６と、その屋根フレーム４６上に取り付けられた野地板４７とを備える。屋根フレーム４６は、互いに対向して設けられる一対の対向フレーム材４８，４９と、それら対向フレーム材４８，４９の間に架け渡され両フレーム材４８，４９同士を連結する複数の連結フレーム材５１とを有する。なお、各対向フレーム材４８，４９がそれぞれ第１フレーム材に相当し、連結フレーム材５１が第２フレーム材に相当する。
【００４７】
各対向フレーム材４８，４９のうち、対向フレーム材４８は中間梁２７に沿って配設され、当該中間梁２７の上に載置されている。一方、対向フレーム材４９は天井大梁２３ｂに沿って配設され、当該天井大梁２３ｂの上に載置されている。これにより、屋根フレーム４６が中間梁２７と天井大梁２３ｂとの間に架け渡されている。
【００４８】
対向フレーム材４８は、断面Ｌ字状の鋼材により形成されている。対向フレーム材４８は、中間梁２７上に載置された水平板部４８ａと、連結フレーム材５１の端部に溶接固定された鉛直板部４８ｂとを有する。水平板部４８ａは、中間梁２７のウェブにボルト５３により固定されている。ボルト５３は、中間梁２７のウェブの下面に溶接固定されたナット５４に水平板部４８ａ及び当該ウェブを介して締結されている。なお、対向フレーム材４９の構成については後述する。
【００４９】
連結フレーム材５１は角形鋼により形成され、所定の間隔で複数（３つ以上）配置されている。連結フレーム材５１は、その途中で屈曲された屈曲形状をなしており、一端が対向フレーム材４８に固定された水平フレーム部５１ａと、一端が対向フレーム材４９に固定された傾斜フレーム部５１ｂとを有している。水平フレーム部５１ａは水平方向に延びているのに対し、傾斜フレーム部５１ｂは水平フレーム部５１ａから傾斜屋根部１５の傾斜方向に沿って延びている。なお、連結フレーム材５１では、その上端側の一部のみが水平フレーム部５１ａとされ、残りの大部分が傾斜フレーム部５１ｂとされている。
【００５０】
野地板４７は、優れた耐火性能を有する準不燃材料により形成され、例えば木片セメント板により形成されている。野地板４７は、各連結フレーム材５１の上に跨がって載置され、その載置状態でそれら各連結フレーム材５１にビス等で固定されている。詳しくは、野地板４７には、各連結フレーム材５１の水平フレーム部５１ａ上に載置され固定された野地板４７ａと、各連結フレーム材５１の傾斜フレーム部５１ｂ上に載置され固定された野地板４７ｂとがある。これらの野地板４７ａ，４７ｂは互いに連続させて設けられている。なお、野地板４７は、木片セメント板に限らず、木毛セメント板や石膏ボード等、その他の準不燃材料により形成されてもよい。
【００５１】
上記の屋根パネル４５は、全体として見ると、水平方向に延びる水平パネル部４５ａと、その水平パネル部４５ａから下方傾斜して延びる傾斜パネル部４５ｂとを有して形成されている。この場合、水平パネル部４５ａが連結フレーム材５１の水平フレーム部５１ａと野地板４７ａとを含んで構成され、傾斜パネル部４５ｂが連結フレーム材５１の傾斜フレーム部５１ｂと野地板４７ｂとを含んで構成されている。
【００５２】
上述した各屋根パネル３５，４５により、カットユニット２０ａ上における陸屋根部１４及び傾斜屋根部１５の屋根下地が構成されている。この場合、屋根パネル３５と屋根パネル４５の水平パネル部４５ａとにより陸屋根部１４の屋根下地が構成され、屋根パネル４５の傾斜パネル部４５ｂにより傾斜屋根部１５の屋根下地が構成されている。
【００５３】
陸屋根部１４において屋根パネル３５の野地板３７の上と屋根パネル４５（水平パネル部４５ａ）の野地板４７ａの上とには防露断熱材５６が敷設されている。防露断熱材５６は例えば硬質ウレタンフォームにより形成されている。また、防露断熱材５６の上には葺き材５７が敷設されている。葺き材５７は耐水皮膜が施された鋼板よりなる。
【００５４】
傾斜屋根部１５において屋根パネル４５（傾斜パネル部４５ｂ）の野地板４７ｂの上には屋根材５８（屋根仕上げ材）が葺設されている。屋根材５８は、例えばスレート瓦（カラーベスト）からなる。屋根材５８上において陸屋根部１４側の端部には下地板５９が設けられ、その下地板５９の上には棟カバー６１が取り付けられている。棟カバー６１は、傾斜屋根部１５と陸屋根部１４とに跨がって設けられ、当該陸屋根部１４において防露断熱材５６と葺き材５７との間に挟み込まれている。
【００５５】
続いて、カットユニット２０ａにおける天井部の構成について説明する。
【００５６】
カットユニット２０ａの水平天井部３１において屋根パネル３５（換言すると陸屋根部１４）の下方には天井面材６３が設けられている。天井面材６３は石膏ボードにより構成され、水平天井部３１を構成する各天井梁２３ａ，２６，２８の下面に野縁６４を介して固定されている。
【００５７】
天井面材６３の上方には天井裏空間６５が形成されている。天井裏空間６５は、天井面材６３と屋根パネル３５（詳しくは野地板３７）との間に形成されている。この点からすると、天井裏空間６５を屋根裏空間ということもできる。天井裏空間６５には、天井断熱材６６が設けられている。天井断熱材６６は、グラスウールにより板状に形成され、天井面材６３上に２枚重ねされた状態で配設されている。なお、天井断熱材６６の端部は天井大梁２３ａ及び中間梁２６の各溝部に入り込んでいる。また、中間梁２７の溝部にはグラスウールからなる梁内断熱材６８が配設されている。
【００５８】
カットユニット２０ａの傾斜天井部３２には、屋根パネル４５の下面側（裏面側）に天井パネル７５が設けられている。天井パネル７５は、屋根パネル４５（詳しくは傾斜パネル部４５ｂ）の傾斜に沿って配設され、屋根パネル４５と上下に対向している。この場合、天井パネル７５と屋根パネル４５（傾斜パネル部４５ｂ）とは互いに同じ向きに傾斜して配置されている。
【００５９】
天井パネル７５は、天井面材７６と、その天井面材７６の裏面側（上面側）に設けられた天井フレーム７７とを有する。天井面材７６は、石膏ボードにより構成され、陸屋根部１４下の天井面材６３と連続させて設けられている。すなわち、天井面材６３は、天井面材７６の下面に当接するまで延出し、その当接部付近で繋ぎ材７１を介して天井面材７６と接続されている。なお、天井面材７６が天井板に相当する。
【００６０】
天井フレーム７７は、木製の長尺材からなる複数のフレーム材が矩形枠状に連結されることで構成されている。天井フレーム７７は、互いに対向して設けられる一対の対向フレーム材７８，７９と、それら各対向フレーム材７８，７９の間に架け渡されそれら両フレーム材７８，７９同士を連結する複数の連結フレーム材８１とを有する。
【００６１】
天井フレーム７７は、各連結フレーム材８１が屋根パネル４５の傾斜に沿って延びる向きで配設されている。この場合、各対向フレーム材７８，７９のうち、対向フレーム材７８がフレーム上端に位置し、対向フレーム材７９がフレーム下端に位置している。そして、かかる配設状態で、天井フレーム７７は、屋根パネル４５の屋根フレーム４６に固定されている。なお、対向フレーム材７９が下端フレーム材に相当する。
【００６２】
対向フレーム材７８は、屋根フレーム４６の各連結フレーム材５１の上端部、詳しくは各水平フレーム部５１ａの端部に跨がって配設され、その配設状態で各水平フレーム部５１ａの下面にビス等で固定されている。一方、対向フレーム材７９は、各連結フレーム材５１（詳しくは傾斜フレーム部５１ｂ）の下端側に跨がって配設され、その配設状態で各傾斜フレーム部５１ｂの下面に木レンガ８２を介して固定されている。詳しくは、各傾斜フレーム部５１ｂの下面にはそれぞれ木レンガ８２が固定され、それら各木レンガ８２の下面に対向フレーム材７９がビス等で固定されている。このように、連結フレーム材５１（詳しくは傾斜フレーム部５１ｂ）と対向フレーム材７９とが木レンガ８２を介して固定されていることから、屋根フレーム４６と天井フレーム７７との間には所定の隙間が形成されている。
【００６３】
天井フレーム７７の下面には天井面材７６がビス等で固定されている。天井面材７６の上方には天井裏空間８３が形成されている。天井裏空間８３は、天井面材７６と屋根パネル４５（詳しくは野地板４７）との間に形成されている。この点からすると、天井裏空間８３を屋根裏空間ということもできる。また、天井裏空間８３には、グラスウールからなる天井断熱材８４が設けられている。
【００６４】
天井パネル７５（及び屋根パネル４５）の下端側には外壁部８５が設けられている。外壁部８５は、その屋外側に外壁パネル８６を有しており、その屋内側に内壁パネル８７を有している。外壁パネル８６は、外壁面材８８と、その裏面側（屋内側）に固定された外壁フレーム８９とを有している。外壁面材８８は、窯業系サイディングにより構成され、「外壁」に相当する。外壁フレーム８９は、断面コ字状の鋼材からなる複数のフレーム材が矩形枠状に連結されることで構成されている。外壁フレーム８９を構成する各フレーム材のうち、フレーム上端に配された横フレーム材８９ａはその溝部を上方に向けて配設され、天井大梁２３ｂ（のウェブ）に屋外側からボルト９４により固定されている。なお、天井大梁２３ｂの溝部にはグラスウールからなる梁内断熱材９３が配設されている。
【００６５】
内壁パネル８７は、天井大梁２３ｂを挟んで外壁パネル８６とは反対側に設けられている。内壁パネル８７は、内壁面材９１と、その裏面側（屋外側）に固定された内壁フレーム９２とを有している。内壁面材９１は石膏ボードにより構成され、内壁フレーム９２は木製角材よりなる複数のフレーム材が矩形枠状に連結されることで構成されている。内壁フレーム９２を構成する各フレーム材のうち、フレーム上端に配された横フレーム材９２ａの上面には長尺板状の下地材９５が設けられており、その下地材９５の上には天井フレーム７７の対向フレーム材７９が載置されている。また、外壁パネル８６と内壁パネル８７との間には壁内空間１０３が形成されている。
【００６６】
次に、屋根パネル４５の下端側の構成について図４を用いながら詳しく説明する。図４は、屋根パネル４５の下端側周辺を拡大して示す縦断面図である。
【００６７】
図４に示すように、屋根パネル４５の下端側では、野地板４７ｂが天井大梁２３ｂよりも屋外側に延出し、その延出した延出部４７ｃの先端部（下端部）が外壁パネル８６の外壁面材８８の上方（真上）に位置している。この場合、野地板４７ｂの延出部４７ｃは外壁面材８８よりも屋外側には張り出しておらず、それ故、この延出部４７ｃは軒を形成してはいない。なお、延出部４７ｃが野地板延出部に相当する。また、天井大梁２３ｂが「外壁側の天井梁」に相当する。
【００６８】
延出部４７ｃとその上の屋根材５８との間には防水シート９６の上部が挟み込まれている。防水シート９６は、延出部４７ｃの下端から垂下しており、その垂下した部分が外壁面材８８とその屋外側面に取り付けられた板材９７との間に挟み込まれている。これにより、野地板４７ｂと外壁面材８８との間を通じて雨水等の水が屋内側に入り込むことが防止されている。
【００６９】
屋根パネル４５の下端側では、屋根フレーム４６の各連結フレーム材５１が天井大梁２３ｂよりも屋外側に延出しており、その延出した延出部５１ｃの先端部が外壁面材８８の上方（真上）に位置している。この場合、各連結フレーム材５１の延出部５１ｃは野地板４７ｂの延出部４７ｃの下方に配置され、野地板４７ｂの延出部４７ｃを下方から支持している。なお、延出部５１ｃがフレーム延出部に相当する。
【００７０】
屋根フレーム４６の対向フレーム材４９は、への字状の断面を有する長尺状の鋼材により形成されている。対向フレーム材４９は、天井大梁２３ｂ（詳しくはその上フランジ２３ｃ）の上面に載置され固定された梁固定板部４９ａと、各連結フレーム材５１の先端部（下端部）に固定されたフレーム固定板部４９ｂとを有する。
【００７１】
梁固定板部４９ａは、天井大梁２３ｂの上フランジ２３ｃにボルト９８により固定されている。ボルト９８は、上フランジ２３ｃの下面に溶接されたナット９９に梁固定板部４９ａ及び当該上フランジ２３ｃを介して締結されている。梁固定板部４９ａは、その一部が天井大梁２３ｂよりも屋外側に延出しており、その延出した延出部１０１にフレーム固定板部４９ｂが接続されている。
【００７２】
フレーム固定板部４９ｂは、延出部１０１の屋外側端部から屋外側に向けて上方傾斜し、各連結フレーム材５１の延出部５１ｃの端面５１ｄに溶接により固定されている。フレーム固定板部４９ｂは、その傾斜方向が各延出部５１ｃの端面５１ｄの傾斜方向と同じ方向となっている。したがって、フレーム固定板部４９ｂは、それら端面５１ｄに沿って配設された状態で各端面５１ｄに溶接固定されている。なお、連結フレーム材５１の傾斜方向とその端面５１ｄの傾斜方向とは互いに直交している。
【００７３】
続いて、天井パネル７５の下端側の構成について説明する。
【００７４】
天井パネル７５の下端側では、上述したように、天井フレーム７７の対向フレーム材７９が内壁パネル８７の内壁フレーム９２（詳しくは横フレーム材９２ａ）上に設けられた下地材９５の上面に載置されている。下地材９５の上面は当該下地材９５の長手方向に沿って延びる水平面となっており、この下地材９５の上面が載置面に相当する。
【００７５】
対向フレーム材７９は、天井大梁２３ｂの上フランジ２３ｃの屋内側において当該上フランジ２３ｃに近接させて配置されている。対向フレーム材７９は、天井面材７６の裏面（上面）に固定された第１面１０５と、下地材９５の上面に載置された第２面１０６とを有している。第１面１０５は、天井面材７６の裏面に沿って傾斜する傾斜面となっており、第２面１０６は、下地材９５の上面に沿って延びる水平面となっている。
【００７６】
対向フレーム材７９は、第１面１０５と直交する方向である当該フレーム材７９の幅方向において対称な形状を有している。したがって、対向フレーム材７９は、第１面１０５と幅方向に対称となる第３面１０７と、第２面１０６と幅方向に対称となる第４面１０８とをさらに有している。なお、第４面１０８が第２対称面に相当する。
【００７７】
対向フレーム材７９の第４面１０８は天井大梁２３ｂの上フランジ２３ｃの屋内側に位置しており、上下方向に延びる面となっている。この第４面１０８と上フランジ２３ｃとの間には所定の隙間１０９が形成されている。この隙間１０９は、天井裏空間８３に配設された配線Ｈを壁内空間１０３へと導くための隙間となっている。つまり、この場合、対向フレーム材７９に第４面１０８が形成されていることで、対向フレーム材７９が上フランジ２３ｃに近接配置されているにもかかわらず、対向フレーム材７９（第４面１０８）と上フランジ２３ｃとの間に上記の隙間１０９が形成され、その隙間１０９を通じて配線Ｈが天井裏空間８３から壁内空間１０３へと導かれるようになっている。
【００７８】
以上、詳述した本実施形態の構成によれば、以下の優れた効果が得られる。
【００７９】
互いに離間する天井大梁２３ｂ及び中間梁２７に屋根パネル４５を架け渡して設置し、その屋根パネル４５を、屋根フレーム４６と、屋根フレーム４６の各連結フレーム材５１上に支持され準不燃材料からなる野地板４７とを有して構成した。野地板４７は、その一部が天井大梁２３ｂよりも屋外側に延出して外壁面材８８上へと至る延出部４７ｃとなっている。そして、屋根フレーム４６の各連結フレーム材５１を天井大梁２３ｂよりも屋外側に延出させて延出部５１ｃを形成し、それら各連結フレーム材５１の延出部５１ｃにより野地板４７の延出部４７ｃを下方から支持するようにした。これにより、施工の際等に野地板４７の延出部４７ｃの上に作業者等が載って同延出部４７ｃに下向きの荷重が作用したとしても、その荷重を連結フレーム材５１の延出部５１ｃにより下方から受けることができる。そのため、野地板４７が比較的割れ易い準不燃材料により形成されている場合であっても、野地板４７の踏み割れを防止することができる。
【００８０】
屋根パネル４５が外壁面材８８側に向けて下方傾斜して設置される構成では、屋根パネル４５が水平状態で設置される構成と比べて、野地板４７の延出部４７ｃの長さが長くなり易い。その点、上記の実施形態では、屋根パネル４５が下方傾斜して設置される構成に、上述した屋根構造、すなわち連結フレーム材５１の延出部５１ｃにより延出部４７ｃを支持する屋根構造を適用した。具体的には、屋根パネル４５がカットユニット２０ａの傾斜天井部３２上において下方傾斜した状態で設置される構成に、上述の屋根構造を適用した。このため、かかる構成においても野地板４７の踏み割れを好適に防止することができる。
【００８１】
天井大梁２３ｂ上に載置固定された対向フレーム材４９の一部を天井大梁２３ｂよりも屋外側に延出させ、各連結フレーム材５１の延出部５１ｃに固定した。この場合、野地板４７の延出部４７ｃから連結フレーム材５１の延出部５１ｃに作用する荷重を対向フレーム材４９により下方から受けることができるため、延出部５１ｃひいては野地板４７の延出部４７ｃに下方への撓みが生じるのを抑制することができる。これにより、野地板４７の踏み割れを確実に防止することが可能となる。
【００８２】
具体的には、対向フレーム材４９を、天井大梁２３ｂ上に載置固定され一部が天井大梁２３ｂよりも屋外側に延出した梁固定板部４９ａと、当該梁固定板部４９ａにおける延出側の端部から上方に延び各連結フレーム材５１の延出部５１ｃの端面５１ｄに固定されたフレーム固定板部４９ｂとを有して構成した。この場合、連結フレーム材５１の延出部５１ｃの先端が対向フレーム材４９により支持されるため、延出部５１ｃが片持ち支持される場合と比べて、延出部５１ｃひいては野地板４７の延出部４７ｃに下方への撓みが生じるのを抑制することができる。そのため、野地板４７の踏み割れをより確実に防止することが可能となる。
【００８３】
また、フレーム固定板部４９ｂを、梁固定板部４９ａから各連結フレーム材５１の延出部５１ｃの端面５１ｄに沿って上方傾斜させ、その傾斜状態で各延出部５１ｃの端面５１ｄに固定した。この場合、フレーム固定板部４９ｂが鉛直上向きに延びている構成と異なり、連結フレーム材５１の延出部５１ｃをその端面が鉛直方向に延びるようにカットする等の面倒な作業をしなくても済むため、屋根フレーム４６の製造について容易化を図ることが可能となる。
【００８４】
屋根フレーム４６を構成する各対向フレーム材４８，４９及び連結フレーム材５１を不燃材料である鋼材により形成したため、傾斜屋根部１５において耐火性能の向上を図ることができる。
【００８５】
屋根パネル４５の下面側に天井パネル７５を設け、その天井パネル７５の天井フレーム７７を木材からなるフレーム材７８，７９，８１により構成した。この場合、屋根パネル４５の野地板４７と天井パネル７５の天井面材７６との間において、その上側に鋼製のフレーム（屋根フレーム４６）が配設され、その下側に木製のフレーム（天井フレーム７７）が配設されている。そのため、野地板４７と天井面材７６との間において、フレーム全体が鋼製とされる場合と比べ、軽量化及び低コスト化を図りながら、耐火性能の向上を図ることができる。
【００８６】
天井フレーム７７を構成する各フレーム材７８，７９，８１のうちフレーム下端に配される対向フレーム材７９に、天井面材７６の裏面（上面）に固定される第１面１０５と、内壁パネル８７上の下地材９５の上面に載置される第２面１０６とを形成した。そして、対向フレーム材７９を、その幅方向（第１面１０５と直交する方向）において対称な形状で形成した。これにより、対向フレーム材７９が幅方向に反転して組み付けられても同じ態様で組み付けることができるため、組み間違えが生じるのを回避することが可能となる。
【００８７】
また、対向フレーム材７９を幅方向に対称形状としたことで、同フレーム材７９には第２面１０６と幅方向に対称な第４面１０８が形成され、その第４面１０８と天井大梁２３ｂの上フランジ２３ｃとの間には配線Ｈを通すための隙間１０９が形成されている。これにより、対向フレーム材７９が天井大梁２３ｂの屋内側に近接配置される構成であっても、それら両部材２３ｂ，７９間を通じて配線Ｈを配設することが可能となる。
【００８８】
ところで、図５に示す従来技術の屋根構造では、天井フレーム１２７の下端に配された下端フレーム材１２７ａが第１フレーム材１２２の鉛直板部１２２ｂに固定されている。そして、下端フレーム材１２７ａには、配線を通すための孔部１２８が形成され、その孔部１２８を通じて配線が天井裏空間から壁内空間へ導かれている。これに対して、上記の実施形態では、対向フレーム材４９のフレーム固定板部４９ｂが梁固定板部４９ａの屋外側端部から上方に延びている関係で、対向フレーム材７９に孔部を設けなくても配線Ｈを隙間１０９を通じて天井裏空間８３から壁内空間１０３へ導くことが可能となっている。そのため、対向フレーム材７９に孔部を加工形成しなくてよい分、作業負担の軽減を図ることが可能となる。
【００８９】
ちなみに、上述した対向フレーム材７９の形状に基づく作用効果は、屋根パネル４５の構成の如何に関わらす得ることができる。すなわち、上記実施形態では、屋根パネル４５が、連結フレーム材５１の延出部５１ｃにより野地板４７の延出部４７ｃを下方から支持する構成を有していたが、屋根パネルがかかる構成を有していなくても、対向フレーム材７の形状に基づく上述の作用効果を得ることは可能である。さらにいえば、屋根パネル４５の野地板４７が準不燃材料以外の材料で形成されている場合にも上述の作用効果を得ることが可能である。
【００９０】
本発明は上記実施形態に限らず、例えば次のように実施されてもよい。
【００９１】
（１）上記実施形態では、屋根フレーム４６の対向フレーム材４９において、そのフレーム固定板部４９ｂを梁固定板部４９ａから上方傾斜するように形成したが、これを変更して、梁固定板部４９ａから鉛直上向きに延びるように形成してもよい。その場合、各連結フレーム材５１の延出部５１ｃの端面５１ｄを鉛直方向に延びるように形成し、その鉛直方向に延びる端面５１ｄにフレーム固定板部４９ｂを固定するようにすればよい。その場合にも、延出部５１ｃの先端が支持されることになるため、延出部５１ｃが片持ち支持される場合と比べて、延出部５１ｃひいては野地板４７の延出部４７ｃに下方への撓みが生じるのを抑制することができる。そのため、野地板４７の踏み割れをより確実に防止することが可能となる。
【００９２】
また、フレーム固定板部４９ｂを、梁固定板部４９ａ（詳しくは延出部１０１の端部）から連結フレーム材５１の延出部５１ｃの下面に沿って上方傾斜するように形成し、その傾斜状態でフレーム固定板部４９ｂを延出部５１ｃの下面に固定するようにしてもよい。その場合にも、野地板４７の延出部４７ｃから各連結フレーム材５１の延出部５１ｃに作用する荷重を対向フレーム材４９により受けることができるため、延出部５１ｃひいては野地板４７の延出部４７ｃに下方への撓みが生じるのを抑制することができる。そのため、野地板４７の踏み割れを確実に防止することが可能となる。
【００９３】
（２）上記実施形態では、対向フレーム材４９の一部（固定部）を天井大梁２３ｂよりも屋外側に延出させ、その延出部分を各連結フレーム材５１の延出部５１ｃに固定したが、対向フレーム材４９にこのような延出部分を必ずしも設ける必要はない。すなわち、対向フレーム材４９を天井大梁２３ｂよりも屋外側に延出させないように配設してもよい。この場合にも、野地板４７の延出部４７ｃに作用する下向き荷重を各連結フレーム材５１の延出部５１ｃによって受けることができるため、野地板４７の踏み割れを防止することができる。
【００９４】
（３）上記実施形態では、天井パネル７５の天井フレーム７７を木製としたが、屋根フレーム４６と同様に鋼製としてもよい。そうすれば、より一層耐火性能の向上を図ることができる。
【００９５】
（４）上記実施形態では、天井フレーム７７のフレーム下端に配される対向フレーム材７９を第１面１０５〜第４面１０８を有する幅方向に対称な形状で形成したが、対向フレーム材７９は必ずしもかかる形状で形成する必要はない。例えば、対向フレーム材７９と天井大梁２３ｂとの間に配線Ｈ通し用の隙間１０９を形成する必要がない場合等には、対向フレーム材７９を矩形断面を有する木製の角材により形成してもよい。
【００９６】
（５）上記実施形態では、カットユニット２０ａにおいて、その天井部の一部が傾斜天井部３２とされていたが、カットユニットとしては、天井部の全体が傾斜天井部とされているものもある。その場合、やはり傾斜天井部の傾斜方向両側に配置される一対の天井梁（天井大梁）に屋根パネルが架け渡されることが想定される。そのため、その場合に本発明の屋根構造を適用してもよい。
【００９７】
（６）上記実施形態では、傾斜屋根部１５を構成する屋根パネルに本発明の屋根構造を適用したが、陸屋根部を構成する屋根パネルに本発明の屋根構造を適用してもよい。陸屋根部を構成する屋根パネルについても、その野地板が屋外側の天井梁よりも屋外側に延出している場合には野地板の踏み割れの問題が生じるおそれがあるため、そのような場合に本発明の屋根構造を適用することができる。
【００９８】
（７）上記実施形態では、ユニット式建物への適用例を説明したが、鉄骨軸組工法により構築される建物等、他の構造の建物に本発明の屋根構造を適用してもよい。要するに、対向する一対の天井梁に屋根パネルが設置される構成を有し、その屋根パネルの野地板が準不燃材料により形成されている場合には、本発明を適用することが可能である。
【符号の説明】
【００９９】
１０…建物、１３…屋根部、２０…建物ユニット、２０ａ…所定の建物ユニットとしてのカットユニット、２３ｂ…天井梁としての天井大梁、２７…天井梁としての中間梁、３２…傾斜天井部、４５…屋根パネル、４６…屋根フレーム、４７…野地板、４７ｃ…野地板延出部としての延出部、４８…第１フレーム材としての対向フレーム材、４９…第１フレーム材としての対向フレーム材、４９ａ…梁固定板部、４９ｂ…フレーム固定板部、５１…第２フレーム材としての連結フレーム材、５１ｃ…フレーム延出部としての延出部、５１ｄ…端面、７５…天井パネル、７６…天井板としての天井面材、７７…天井フレーム、７９…下端フレーム材としての対向フレーム材、８７…内壁パネル、８８…外壁としての外壁面材、１０５…第１面、１０６…第２面、１０８…第２対称面としての第４面、１０９…隙間。
【図１】
0006535272.tif 000002
【図２】
0006535272.tif 000003
【図３】
0006535272.tif 000004
【図４】
0006535272.tif 000005
【図５】
0006535272.tif 000006